(57)【要約】【課題】映像蓄積サーバに蓄積した映像データに対して、対象の映像データの全体を映像表示端末に取り出すことなく、映像表示端末側で編集リストを作成し、この編集リストを基に映像蓄積サーバ側で編集映像データを作成し蓄積し、その編集映像データを複数の映像表示端末で見ることができる映像管理システムを得る。【解決手段】映像表示端末４０１は、映像蓄積サーバ３０１に蓄積されている映像データに対して編集リストを作成する編集部４４を設け、作成された編集リストを映像蓄積サーバ３０１に送信し、映像蓄積サーバ３０１は、編集リストに基づいて、蓄積した複数の映像データから編集リストで指定した指定部分を切り出し、切り出した複数の映像データを結合して編集映像データを作成する編集部３５を設け、その編集映像データを蓄積するようにした。【選択図】図１
2007166074.tif 000002
【特許請求の範囲】
【請求項１】
カメラからの映像データを、ネットワークを介して受信し、映像データとして蓄積する映像蓄積サーバと、前記映像蓄積サーバから映像データを受信して表示する表示装置を持つ映像表示端末とから構成される映像管理システムにおいて、
前記映像表示端末は、前記映像蓄積サーバに蓄積されている映像データに対して、映像データとその切り出し時間を特定した編集リストを作成する編集部を設け、作成された前記編集リストを前記映像蓄積サーバに送信し、前記映像蓄積サーバは、前記編集リストに基づいて、蓄積した複数の映像データから前記編集リストで指定した指定部分を切り出し、切り出した複数の映像データを結合して編集映像データを作成する編集部を設け、その編集映像データを蓄積するようにしたことを特徴とする映像管理システム。
【請求項２】
前記編集部は、前記編集リストに基づいて、複数の前記映像蓄積サーバに分散して蓄積されている映像データから前記編集リストで指定した指定部分を切り出し、切り出した複数の映像データを結合することを特徴とする請求項１に記載の映像管理システム。
【請求項３】
前記映像蓄積サーバは、蓄積されている映像データの指定時間の画像を配信する手段を備え、前記映像表示端末は、配信された画像を取得しサムネイル表示する手段を備えると共に、所望の切り出し期間を決定する手段を備えたことを特徴とする請求項１又は請求項２に記載の映像管理システム。
【請求項４】
前記映像表示端末は、編集される予定の映像データを複数の受信部を切替えて受信することにより、編集された後の映像データを編集前に表示することを可能とするプレビュー表示手段を備えたことを特徴とする請求項１又は請求項２記載の映像管理システム。
【請求項５】
前記映像蓄積サーバには、編集後の映像データに対して、フレームごとにカメラ番号、撮像時時間を付与する手段を備え、前記映像表示端末には、編集後の映像データを受信して表示するときに、カメラ番号、撮像時間を表示する手段を備えることを特徴とする請求項１又は請求項２記載の映像管理システム。
【請求項６】
上記カメラから上記映像蓄積サーバが受信する映像データは、符号化装置により符号化されていることを特徴とする請求項１記載の映像管理システム。
【発明の詳細な説明】
【技術分野】
【０００１】
この発明は、カメラからの映像を符号化し映像蓄積サーバに蓄積して管理し、管理している映像データを編集する映像管理システムに関するものである。
【背景技術】
【０００２】
従来の映像管理システムでは、映像蓄積サーバに蓄積している映像データを、映像データの編集を行う場合に、編集対象の映像データをネットワークを介して、映像表示端末に取り出している。類似な文献としては、特許文献１がある。
【０００３】
【特許文献１】特開２００４−３２０８２２号公報（第１図）
【発明の開示】
【発明が解決しようとする課題】
【０００４】
従来の映像管理システムで、映像蓄積サーバに蓄積している映像データをもとに、映像データを編集するには、例えば、複数の映像データから所望の事物や事象が写っている部分のみを編集し一つの映像データとして管理したい場合には、編集対象の大量の映像データを映像表示端末に転送し、映像表示端末上で、編集する必要がある。また、編集した映像データを複数の映像表示端末から見るためには、編集した映像データを、映像蓄積サーバ上に転送しなければならないという問題点があった。
【０００５】
この発明は上記のような課題を解決するためになされたものであり、映像蓄積サーバに蓄積した映像データに対して、対象の映像データの全体を映像表示端末に取り出すことなく、映像表示端末側で編集リストを作成し、この編集リストを基に映像蓄積サーバ側で編集映像データを作成し蓄積し、その編集映像データを複数の映像表示端末で見ることができる映像管理システムを得ることを目的とする。
【課題を解決するための手段】
【０００６】
この発明に係わる映像管理システムは、カメラからの映像データを、ネットワークを介して受信し、映像データとして蓄積する映像蓄積サーバと、前記映像蓄積サーバから映像データを受信して表示する表示装置を持つ映像表示端末とから構成される映像管理システムにおいて、前記映像表示端末は、前記映像蓄積サーバに蓄積されている映像データに対して、映像データとその切り出し時間を特定した編集リストを作成する編集部を設け、作成された前記編集リストを前記映像蓄積サーバに送信し、前記映像蓄積サーバは、前記編集リストに基づいて、蓄積した複数の映像データから前記編集リストで指定した指定部分を切り出し、切り出した複数の映像データを結合して編集映像データを作成する編集部を設け、その編集映像データを蓄積するようにしたものである。
【発明の効果】
【０００７】
この発明の映像管理システムによれば、映像蓄積サーバに蓄積した映像データに対して、対象の映像データの全体を映像表示端末に取り出すことなく、映像表示端末側で、映像データとその切り出し時間を特定した編集リストを作成し、この編集リストを基に映像蓄積サーバ側で編集映像データを作成し蓄積することができる。さらに、編集により作成された映像データは映像蓄積サーバに蓄積されているため、複数の映像表示端末より、利用できる。
【発明を実施するための最良の形態】
【０００８】
実施の形態１．
以下、この発明の実施の形態１における映像管理システムを図に基づいて説明する。図１はこの発明の実施の形態１おける映像管理システムの構成を示すブロック図である。図２は図１の映像蓄積サーバと映像表示端末の内部構成を示すブロック図である。両図において、１０１，１０２，１０３はカメラ、２０１，２０２，２０３はカメラ１０１，１０２，１０３からの映像を符号化してネットワーク５に映像データを配信するエンコーダ、３０１はエンコーダ２０１，２０２，２０３が配信した映像データを受信し、蓄積領域３１１に蓄積する映像蓄積サーバ、４０１，４０２，４０３はネットワーク５を介してエンコーダ２０１，２０２，２０３からの映像データまたは、映像蓄積サーバ３０１から配信される蓄積された映像データを受信して表示する映像表示端末である。
【０００９】
映像蓄積サーバ３０１は、エンコーダからの映像データを受信する受信部３２と、受信した映像データを蓄積する蓄積部３４、蓄積した映像データを管理する管理部３１、蓄積した映像データを配信する配信部３３、蓄積した映像データから所望の時間分の映像データを切り出し、切り出した複数の映像データを結合する編集部３５より構成される。映像表示端末４０１，４０２，４０３は、映像データを受信する受信部４１と、受信した映像データを復号する復号部４２、復号した映像データを表示する表示部４３、編集の対象となる蓄積されている映像データの識別子（例えば、映像データを特定するＩＤ番号）と切り出し時間（何時〜何時）と結合順序（例えば、事象の発生順）を記述する編集リストを作成する編集部（編集支援部）４４より構成される。
【００１０】
次に動作について説明する。図３は実施の形態１における編集リストを作成する処理の流れを示すフローチャートである。ステップＳＴ２１において、映像表示端末４０１（又は４０２，４０３）より事象、又は事象に対応する時刻をキーとして、映像蓄積サーバ３０１の蓄積部３４に対して検索を要求する。ステップＳＴ２２において、映像表示端末４０１の編集部４４が映像蓄積サーバ３０１の蓄積部３４より検索結果の映像データのリストを受信する。ステップＳＴ２３において、映像表示端末４０１では、検索結果のリストから映像データを選択し、事象の発生時刻、又は検索キーとした時刻の前後を、映像蓄積サーバ３０１の蓄積データから取り出し、取り出した映像データを画面に表示再生し、映像データの切り出し時間（例えば開始時刻と終了時刻、又は開始時刻と開始時刻からの時間）を決定し、映像データとその切り出し時間を特定した編集リストを得る。
【００１１】
ステップＳＴ２４において、得た編集リストに映像データの識別子、切り出し時間を追加する。検索結果のリストに対象とする映像データが無くなるまでステップＳＴ２３，ステップＳＴ２４を繰り返す。ステップＳＴ２６において、繰り返されたことにより、先の編集リストに追加されることになった（識別子と切り出し時間が記載されている）映像データを、先の編集リストの映像データと合わせて、所望の順番（例えば、発生時刻順）に並び替えて編集リストを決定する。
【００１２】
図４は、映像蓄積サーバ３０１で編集映像データを作成する処理の流れを示すフローチャートである。ステップＳＴ１１において、映像表示端末４０１（又は４０２，４０３）にて作成した前記編集リストを映像蓄積サーバ３０１の編集部３５が受信する。受信した編集リストには編集対象となる映像データの識別子と切り出し時間が記述されている。ステップＳＴ１２において、受信した編集リストから対象となる映像データの切り出し時間を合計し、編集映像データのサイズを計算し、蓄積領域に編集映像データ格納用の領域を確保する。このとき、映像データの受信時のビットレートが異なる場合は、切り出しの対象となる映像データの蓄積容量、蓄積時間から、容量を計算する。
【００１３】
ステップＳＴ１３において、対象とする映像データの切り出し開始時刻のフレームを検索する。ステップＳＴ１４において、ステップＳＴ１３にて検索したフレームから、切り出し終了時刻までの映像データをフレーム単位で取り出し、編集映像データ領域に追加して結合する。ステップＳＴ１５において、編集リストに次の対象となる映像データがある場合、対象となる映像データに対してステップＳＴ１３、ＳＴ１４にて映像データを切り出し、結合する。上記ステップＳＴ１３、ＳＴ１４を対象となる映像データが無くなるまで繰り返し行う。
【００１４】
ステップＳＴ１６において、作成された編集映像データの管理情報を管理部３１に登録することにより、編集映像データの識別子が付与され、エンコーダから受信して蓄積した映像データと同じように映像表示端末４０１，４０２，４０３から、表示できるようになる。
【００１５】
図５は上記手法により編集映像データを作成した例を示したものである。編集リストのそれぞれの識別子と切り出し時間に基づいて、映像蓄積サーバ３０１の蓄積領域に蓄積されている映像データ６０１から映像データａを、映像データ６０２から映像データｃを、映像データ６０１から映像データｂを、映像データ６０３から映像データｄを切り出し、発生順に結合して編集映像データ６０４を作成している。
【００１６】
以上のように、実施の形態１によれば、映像蓄積サーバに蓄積した映像データに対して、対象の映像データの全体を映像表示端末に取り出すことなく、映像表示端末側で編集リストを作成し、この編集リストを基に映像蓄積サーバ側で編集映像データを作成し蓄積することができるという効果がある。更に、編集により作成された映像データは映像蓄積サーバ３０１にあるため、複数の映像表示端末４０１，４０２，４０３より、即座に利用できるという効果がある。
【００１７】
実施の形態２．
なお、上記実施の形態１では、映像蓄積サーバ３０１内で映像データを編集する場合について述べたが、図６に示すように、映像蓄積サーバ３０１，３０２が複数台あるシステムにおいては、編集リストに複数の映像蓄積サーバ３０１，３０２にある映像データを記述し、編集映像データを格納する先の映像蓄積サーバ３０２に編集リストを送信することにより、複数の映像蓄積サーバ３０１，３０２の蓄積領域３１１，３１２に分散して蓄積されている映像データを編集して一つの編集映像データを作成することができる。なお、このとき、編集リストに映像データが蓄積されている映像蓄積サーバ名を記述してもよい。
【００１８】
図６は、２台の映像蓄積サーバ３０１，３０２に蓄積された映像データを編集し編集映像データを作成する例を示したものである。映像表示端末４０１は編集リストに映像データａ，ｂ，ｃ（例えば、映像データの識別子と切り出し時間）を記述し、編集映像データの格納先である映像蓄積サーバ３０２に送信する。映像蓄積サーバ３０２は、映像蓄積サーバ３０１の編集部と通信して、蓄積領域３１１の映像データ６０１，６０３から映像データａ，ｂを切り出して転送してもらい、映像蓄積サーバ３０２にある蓄積領域３１２の映像データ６０６の映像データｃも含めて一つの編集映像データ６０８を作成する。
【００１９】
以上のように、実施の形態２によれば、複数の映像蓄積サーバ３０１，３０２に分散して蓄積されている映像データを一つの編集映像データとして作成できるため、映像表示端末４０１に対象とする映像データの全体を取り出すことなく、映像表示端末４０１側で編集リストを作成し、この編集リストを基に映像蓄積サーバ側で編集映像データを作成することができるという効果がある。
【００２０】
実施の形態３．
なお、実施の形態１，２では、映像蓄積サーバ上での映像データの編集について述べたが、映像蓄積サーバの編集部に映像データの指定時刻の画像を取得する手段を設け、映像表示端末が映像蓄積サーバの編集部に、編集対象としたい映像データの一定間隔の画像データを要求することにより、映像データの配信量を減らして、編集対象とする区間を決定して編集リストを作成することができる。
【００２１】
図７は、映像表示端末から、映像データ６０１の時刻ａ，ｂ，ｃ，ｄ，ｅ，ｆの画像データＡ，Ｂ，Ｃ，Ｄ，Ｅ，Ｆを要求し、映像表示端末の表示装置４１１にサムネイル表示（例えば、縮小要約表示）した場合の例を示したものである。例えば、映像データ６０１から事故が発生した瞬間を編集映像データとしたい場合、サムネイル表示している画像Ｄ，Ｅ，Ｆに事故後の事物が写っているときは、時刻ｃから時刻ｄの間の映像データのみ配信して、切り出し時間を決定すればよい。時刻ｃから時刻ｄの間の画像を更に複数枚取得してサムネイル表示することにより、映像データの配信量を更に減らすこともできる。
【００２２】
以上のように、実施の形態３によれば、サムネイル画像を表示でき、映像データを配信することなく、または、少ない映像データの配信で、編集対象とする期間を決定することができるという効果がある。
【００２３】
実施の形態４．
なお、実施の形態３では、サムネイル画像を表示して編集対象とする映像データの期間を決定する方法について述べたが、図８に示すように、映像表示端末に受信部４１に加えて、受信部４５を設け、２つの映像データを同時に受信できるようにすることにより、編集映像データを作成前にプレビュー表示することができる。
【００２４】
次に動作について説明する。まず、編集リストにある最初の映像データの受信を受信部４１で準備し、編集リストの２番目の映像データの受信を受信部４５で準備する。次に受信部４１で映像データの受信を開始し表示し、映像データの受信が完了する直前に受信部４５に受信開始を指示する。受信部４１は受信が完了すると編集リストの次（つまり、３番目）の映像データの受信の準備をする。受信部４１，４５で交互に映像を受信することにより、映像データを途切れることなくシームレスに表示することができる。以上のように、実施の形態４によれば、編集される予定の映像データを複数の受信部を切替えて受信することにより、編集された後の映像データを編集前に表示することを可能とするプレビュー表示手段を設けたので、編集映像データを作成前に表示して確認できるという効果が得られる。
【００２５】
実施の形態５．
なお、実施の形態１，２では、編集映像データを作成する場合について述べたが、図９に示すように、映像蓄積サーバ側で編集時に編集映像データにカメラ番号、撮影時刻を付加することにより、映像表示端末で表示時にカメラ番号と撮影時刻を同時に表示することができる。また、編集映像データを再度編集しても元の映像データがどのカメラでいつ撮影したものであるかの情報を保持することができる。
【００２６】
図９は、編集映像データにカメラ番号と撮影時刻をフレーム単位で付加したデータ構造の例を示したものである。編集映像データ６０１は、映像データＡと映像データＢを結合したもので、映像データＡはカメラ１からの映像を符号化したデータ、映像データＢはカメラ２からの映像を符号化したデータである。ａ，ｂ，ｃ，ｍ，ｎは映像データ６０１の単位データで、カメラ番号と撮影時刻をフレームデータに付加した編集映像データ７０１，７０２のような構造で格納されている。
【００２７】
以上のように、実施の形態５によれば、編集された映像データを映像表示端末で表示時にカメラ番号、撮影時刻を同時に表示でき、編集された映像データがどのカメラでいつ撮影した物であるか確認できるという効果がある。
【図面の簡単な説明】
【００２８】
【図１】この発明の実施の形態１における映像管理システムのブロック図である。
【図２】図１の映像蓄積サーバと映像表示端末の内部構成を示すブロック図である。
【図３】実施の形態１における編集リストを作成する処理の流れを示すフローチャートである。
【図４】実施の形態１による映像データの編集処理の流れを示すフローチャートである。
【図５】実施の形態１による映像データの編集例を示す図である。
【図６】実施の形態２による映像データの編集例を示す図である。
【図７】実施の形態３による映像データからの画像取得とサムネイル表示の例を示す図である。
【図８】実施の形態４による映像表示端末のブロック図である。
【図９】実施の形態５による編集映像データの構造例を示す図である。
【符号の説明】
【００２９】
５  ネットワーク
３１  管理部                            ３２  受信部
３３  配信部                            ３４  蓄積部
３５  編集部                            ４１  受信部
４２  復号部                            ４３  表示部
４４  編集部                            ４５  受信部
１０１，１０２，１０３  カメラ          ２０１，２０２，２０３  エンコーダ
３０１，３０２  映像蓄積サーバ          ３１１，３１２  蓄積領域
４０１，４０２，４０３  映像表示端末    ４１１  表示装置
６０１，６０２，６０３，６０５，６０６，６０７  映像データ
６０４，６０８  編集映像データ          ７０１，７０２  編集映像データ
【図１】
2007166074.tif 000003
【図２】
2007166074.tif 000004
【図３】
2007166074.tif 000005
【図４】
2007166074.tif 000006
【図５】
2007166074.tif 000007
【図６】
2007166074.tif 000008
【図７】
2007166074.tif 000009
【図８】
2007166074.tif 000010
【図９】
2007166074.tif 000011